(57)【要約】【課題】  スイングアークの軌跡を自ら体感可能になるとともに、スイングアークの調整を行うこと。【解決手段】  ゴルフクラブ９０をスイングする際に、自らのスイングアークの軌跡を体感することが可能なスイング練習器１０であって、スイングするスイング練習者１００の首周りに周回固定可能な首側固定部材２０と、その首側固定部材２０における紐状部分に対して取り付けられ、スイング練習者の首の幅方向の略中心部の位置決めが可能な構造を備えたスイングセンター位置決め部材３０と、ゴルフクラブ９０のグリップ９１に対して固定可能に形成されたゴルフクラブ側固定部材４０と、そのゴルフクラブ側固定部材４０とスイングセンター位置決め部材３０とを連結する可変紐部材５０と、スイングセンター位置決め部材３０に設けられ、スイング練習者のスイングセット時に可変紐部材５０の張力を一定にする張力一定機能部材６０と、可変紐部材５０の特定長さを設定した場合において、その長さが変化したことを検知可能とする検知機能部材と、を備えた。【選択図】  図１
2006025882.tif 000002
【特許請求の範囲】
【請求項１】
ゴルフクラブをスイングする際に、自らのスイングアークの軌跡を体感することが可能なスイング練習器であって、
スイングするスイング練習者の首周りに周回固定可能な首側固定部材と、
その首側固定部材における紐状部分に対して取り付けられてスイング練習者の首の幅方向の略中心部の位置決めが可能な構造を備えたスイングセンター位置決め部材と、
前記ゴルフクラブのグリップに対して固定可能に形成したゴルフクラブ側固定部材と、
そのゴルフクラブ側固定部材と前記スイングセンター位置決め部材とを連結する可変紐部材と、
前記スイングセンター位置決め部材に設けられ、前記スイング練習者のスイングセット時に前記可変紐部材の張力を一定にする張力一定機能部材と、
前記可変紐部材の特定長さを設定した場合において、その長さが変化したことを検知可能とする検知機能部材とを備えたことを特徴とするスイング練習器。
【請求項２】
前記検知機能部材は、前記可変紐部材の長さ方向を複数の色にて色分けすることによって引き出された長さを視認可能に形成することとした請求項１記載のスイング練習器。
【請求項３】
前記検知機能部材は、前記可変紐部材の張力の変化を警告する警告発信部材として形成されていることを特徴とする請求項１記載のスイング練習器。
【請求項４】
前記警告発信部材を制御する制御機能部を備えたことを特徴とする請求項３記載のスイング練習器。
【請求項５】
前記制御機能部は、前記スイング練習者のスイングアークが最適となる初期設定値データを入力する初期設定値データ入力手段と、
その初期設定値データを基準とした許容範囲を許容範囲データとして設定する許容範囲データ設定手段と、
前記スイング練習者のスイング中のスイングアークデータを測定するスイングアーク実測データ測定手段と、
前記初期設定値データ、許容範囲データおよびスイングアーク実測データをスイングアークデータ記録部に記録するスイングアークデータ記録手段と、
前記許容範囲データとスイングアーク実測データとの差分を演算する差分演算手段と、
その差分が許容範囲データを越えた場合に前記警告発信部材に警告信号を送信する警告信号送信手段と、
を備えた請求項４記載のスイング練習器。
【請求項６】
前記ゴルフクラブ側固定部材に前記張力一定機能部材を備えたことを特徴とする請求項1記載のスイング練習器。  
【請求項７】
前記スイングセンター位置決め部材は、着衣に対して装着可能な着衣装着部材を備えたことを特徴とする請求項1記載のスイング練習器。
【請求項８】
スイング練習者のスイングアークが最適となる初期設定値データを入力する初期設定値データ入力手段と、
その初期設定値データを基準とした許容範囲を許容範囲データとして設定する許容範囲データ設定手段と、
前記スイング練習者のスイング中のスイングアークデータを測定するスイングアーク実測データ測定手段と、
前記最適値データ、許容範囲データおよびスイングアーク実測データをスイングアークデータ記録部に記録するスイングアークデータ記録手段と、
前記許容範囲データとスイングアーク実測データとの差分を演算する差分演算手段と、
その差分が許容範囲データを越えた場合に前記警告発信部材に警告信号を送信する警告信号送信手段と、
を備えたスイング練習器用警告装置。
【発明の詳細な説明】
【技術分野】
【０００１】
本発明は、スイング練習器およびスイング練習器用警告装置の技術に関する。
【背景技術】
【０００２】
ゴルフのスイング論としては、従来から、飛球法則のほか、「スイング六原則」というものが知られている。そのスイング六原則とは、以下のようなものである。
グリップ（握り）、アイミング（狙い）、セットアップ（構え）によるディレクション（第一原則）、ショルダーターン、ウェイトシフト、フォーアームローテーション、ヒンジングによるスイングモーション（第二原則）、円運動であるスイングの中心となる点およびその点を含んだ軸であるスイングセンター（第三原則）、トップオブスイングからインパクトまでのクラブヘッドが描く軌跡によってできる円盤状の平面であるスイングプレーン（第四原則）、クラブヘッドが描く軌跡とスイングセンターまでの軸であるスイングアーク（第五原則）、１回のスイングを行うのに要する時間であるスイングテンポ（第六原則）のスイングである。
【０００３】
ゴルフプレイヤーは、このようなスイング六原則などに代表されるスイング論および当該スイング論をもとにした練習を行い、ゴルフの上達を目指すことになる。特にゴルフのようなスポーツにおいては、実体験が必要であることはいうまでもなく、このような観点からゴルフスイング用の練習器が知られている（例えば、特許文献１参照）。これは、スイング時に脇を常時しめておくことが自動的に可能となり、ゴルフ練習場などで一人でもスイングのフォームが体得できる練習具である。
【特許文献１】特開平８−３３６６２８号
【発明の開示】
【発明が解決しようとする課題】
【０００４】
ところで、多数のゴルフプレイヤーは、ゴルフを行う際の醍醐味の一つとして、飛距離向上を図ることにある。このような観点から近年では、カーボン製のゴルフクラブが登場するなど、ゴルフクラブの改良化が進み、以前よりも飛距離が伸ばしやすくなってきている。この飛距離を伸ばすためには、前記スイング六原則のうち、スイングアークを大きくすることが必要となっている。
【０００５】
スイングアークを大きくする方法としては、ビデオカメラなどを用いて自らを撮影してそれを後から確認する方法、もしくはレッスンプロなどの第三者によるレッスンおよびアドバイスを受ける方法、といった方法により、自らのスイングアークをチェックしていた。しかしながら、レッスンプロなどによるレッスンおよびアドバイスを受けても、スイングアークが最適化に向かっているか否かをゴルフプレイヤー自らが体感することは実質的には不可能である。つまり、最適なスイングアークのレッスンを受けたとしても、一人では自らのスイングアークが最適か否かを判断するのは、非常に困難となっていた。
【０００６】
本発明は、スイングアークの軌跡を自ら体感可能になるとともに、スイングアークの調整を行うことが可能な技術を提供する。
請求項１から請求項７に記載の発明は、スイングアークの軌跡を自ら体感可能になるとともに、スイングアークの調整を行うことが可能なスイング練習器を提供することを目的とする。
請求項８に記載の発明は、スイングアークの軌跡を自ら体感可能になるとともに、スイングアークの調整を行うことが可能なスイング練習方法を提供することを目的とする。
【課題を解決するための手段】
【０００７】
（請求項１）
ゴルフクラブをスイングする際に、自らのスイングアークの軌跡を体感することが可能なスイング練習器を提供する。
すなわち、スイングするスイング練習者の首周りに周回固定可能な首側固定部材と、その首側固定部材における紐状部分に対して取り付けられ、スイング練習者の首の幅方向の略中心部の位置決めが可能な構造を備えたスイングセンター位置決め部材と、前記ゴルフクラブのグリップに対して固定可能に形成したゴルフクラブ側固定部材と、そのゴルフクラブ側固定部材と前記スイングセンター位置決め部材とを連結する可変紐部材と、前記スイングセンター位置決め部材に設けられて前記スイング練習者のスイングセット時に前記可変紐部材の張力を一定にする張力一定機能部材と、前記可変紐部材の特定長さを設定した場合において、その長さが変化したことを検知可能とする検知機能部材とを備えたスイング練習器に係る。
【０００８】
（用語説明）
「張力一定機能部材」とは、スイングセンター位置決め部材またはゴルフクラブ側固定部材などに設けられ、スイング練習者のスイングセット時に可変紐部材の張力を一定に保つ機能を有する。例えば、バネなどが内蔵されており、このバネの伸縮作用によって可変紐部材を所定の力で巻き取り続けることによって張力を一定に保つ形態などである。
「検知機能部材」とは、可変紐部材の張力が変化した場合に何らかの手段によって検知するものであれば良い。例えば、他の請求項にて特定するように可変紐部材の長さ方向にて色を変化させたり、目盛りによったり、音、振動、点灯あるいは点滅などの光によるもの、あるいはそれらの組合せなどが考えられる。
【０００９】
（作用）
スイング練習者の首周りに首側固定部材を周回固定する。ゴルフクラブ側固定部材をゴルフクラブのグリップに対し固定する。なお、ゴルフクラブ側固定部材をゴルフクラブに固定する形態は任意で良いが、例えば、グリップ端面の貫き穴に挿入する方法がある。このほか、グリップに接着手段などを用いて固定するようにしても良い。可変紐部材は、ゴルフクラブ側固定部材とスイングセンター位置決め部材との長さを可変とした形態で連結している。
また、スイングセンター位置決め部材に固定された張力一定機能部材が、スイング練習者のスイングセット時に可変紐部材の張力を一定に保つ。検知機能部材は、可変紐部材の張力が変化した場合に、その変化を検知する。
すなわち、スイング練習者は、スイング時に可変紐部材を見ることで、スイングアークの軌跡を自ら体感できるようになる。そして、検知機能部材が可変紐部材の張力の変化を検知するので、それに基づいて、自らのスイングに問題があるか否かを認識することができる。このようなチェックは一人でもできるため、スイングアークの修正を自ら行うことができるようになる。
【００１０】
（請求項２）
請求項２記載の発明は、請求項１記載のスイング練習器を限定したものであり、
前記検知機能部材は、前記可変紐部材の長さ方向を複数の色にて色分けすることによって引き出された長さを視認可能に形成することを特徴とする。
【００１１】
（作用）
検知機能部材である可変紐部材は、可変紐部材の長さ方向を複数の色にて色分けされている。これは例えば、可変紐部材は、スイングセンター位置決め部材に収納される構造である場合、スイングセンター位置決め部材の基端部側からブルー、イエローおよびレッドに色分けしたとする。ブルーは、スイングアークが十分であることを示し、レッドは、スイングアークが小さいことを示し、イエローは、それらの中間であることを示している。
つまり、スイング練習者のスイングセット時には、可変紐部材が伸長するため、引き出された可変紐部材の長さを視認可能となる。このため、スイング練習者単独でのスイング矯正が容易となる。
【００１２】
（請求項３）
請求項３記載の発明は、請求項１記載のスイング練習器を限定したものであり、
前記検知機能部材は、前記可変紐部材の張力の変化を警告する警告発信部材として形成されていることを特徴とする。
【００１３】
（用語説明）
「警告発信部材」とは、例えば、ブザーなどの音声発生手段、バイブレーションなどの振動手段などを用いてスイング練習者に警告することである。
「警告発信部材」として音声発生手段および振動手段を採用した場合には、後述する制御機能が設けられ、各種動作の制御が行われる。
（作用）
検知機能部材が可変紐部材の張力の変化を検知すると、スイング練習者に警告発信部材が警告を発信する。すなわち、スイング練習者は、警告発信部材の警告によって、自らのスイング状況を判断することが可能となる。
【００１４】
（請求項４）
請求項４記載の発明は、請求項３記載のスイング練習器を限定したものであり、前記警告発信部材を制御する制御機能部を備えたことを特徴とする。
「制御機能部」とは、例えば、「可変紐部材の張力の変化」については、所定あるいは任意に設定可能な許容範囲を定めることができ、その許容範囲内では、張力が変化したとは認めずに警告発信部材を作動させない。
【００１５】
（作用）
制御機能部が警告発信部材の制御を行う。制御機能部の機能としては、可変紐部材の張力の変化を検知すると、警告発信部材に警告信号を送信するなどである。つまり、警告発信部材に係る各種設定が容易となる。
【００１６】
（請求項５）
請求項５記載の発明は、請求項４記載のスイング練習器を限定したものである。
すなわち、前記制御機能部は、前記スイング練習者のスイングアークが最適となる初期設定値データを入力する初期設定値データ入力手段と、その初期設定値データを基準とした許容範囲を許容範囲データとして設定する許容範囲データ設定手段と、前記スイング練習者のスイング中のスイングアークデータを測定するスイングアーク実測データ測定手段と、前記初期設定値データ、許容範囲データおよびスイングアーク実測データをスイングアークデータ記録部に記録するスイングアークデータ記録手段と、前記許容範囲データとスイングアーク実測データとの差分を演算する差分演算手段と、その差分が許容範囲データを越えた場合に前記警告発信部材に警告信号を送信する警告信号送信手段と、を備えたスイング練習器に係る。
【００１７】
（用語説明）
「許容範囲データ」とは、初期設定データが「５０」である場合、「５０」よりプラス２ｃｍおよびマイナス２ｃｍは許容範囲として動いても検知機能部材に警告信号を発信しないという設定である。なお、プラスマイナスの設定は、等しいデータとしなくても良く、スイング練習者の癖（例えば、プラスよりに多く動いてしまう場合などはプラスを多く設定する）に応じて適宜設定を変えることもできる。
「スイングアークデータ記録手段」とは、内部記憶装置、より具体的にはランダムアクセスメモリなどの記憶媒体のことである。
【００１８】
（作用）
初期設定値入力手段がスイング練習者にとってスイングアークが最適となる初期設定値データを入力する。許容範囲データ設定手段が初期設定値データを基準とした許容範囲を許容範囲データとして設定する。スイングアーク実測データ測定手段がスイング練習者のスイング中のスイングアークデータを測定する。スイングアークデータ記録手段が初期設定値データ、許容範囲データおよびスイングアーク実測データをスイングアークデータ記録部に記録する。差分演算手段が許容範囲データとスイングアーク実測データとの差分を演算する。警告信号送信手段が、差分演算手段が算出したデータが許容範囲データを越えた場合に、前記警告発信部材に警告信号を送信する。
つまり、予め設定された許容範囲データを越えた場合には、警告発信部材から警告音が発信されるように制御されているため、スイング練習者は、設定した初期設定値データに対し、自らのスイングが適切か否かを音によって容易に判断することができる。
【００１９】
（請求項６）
請求項６記載の発明は、請求項１記載のスイング練習器を限定したものであり、
前記ゴルフクラブ側固定部材に前記張力一定機能部材を備えたことを特徴とする。  
【００２０】
（作用）
ゴルフクラブ側固定部材は、張力一定機能部材を備えている。つまり、張力一定機能部材は、前述したゴルフクラブ側固定部材およびスイングセンター位置決め部材のどちらか一方へ備えることが可能となっている。
なお、張力一定機能部材によって可変紐部材を小さく収納できるため、保管時や持ち運び時に便利である。
【００２１】
（請求項７）
請求項７記載の発明は、請求項１記載のスイング練習器を限定したものであり、前記スイングセンター位置決め部材は、着衣に対して装着可能な着衣装着部材を備えたことを特徴とする。
【００２２】
（作用）
着衣装着部材を着衣に対して装着することで、スイングセンター位置決め部材を確実に固定することができる。したがって、スイングの中心点となるスイングセンターの位置決めを容易に行うことができる。この位置決めによって、常にスイングセンターを意識したスイングを行うことができるため、スイング矯正にも効果的となる。
【００２３】
（請求項８）
請求項８記載の発明は、他の請求項に係るスイング練習器に用いられるスイング練習器用警告装置に係る。
すなわち、スイング練習者のスイングアークが最適となる初期設定値データを入力する初期設定値データ入力手段と、  その初期設定値データを基準とした許容範囲を許容範囲データとして設定する許容範囲データ設定手段と、前記スイング練習者のスイング中のスイングアークデータを測定するスイングアーク実測データ測定手段と、前記最適値データ、許容範囲データおよびスイングアーク実測データをスイングアークデータ記録部に記録するスイングアークデータ記録手段と、前記許容範囲データとスイングアーク実測データとの差分を演算する差分演算手段と、その差分が許容範囲データを越えた場合に前記警告発信部材に警告信号を送信する警告信号送信手段と、を備えたスイング練習器用警告装置を提供する。
【発明の効果】
【００２４】
請求項１から請求項７に記載の発明によれば、スイングアークの軌跡を自ら体感可能になるとともに、スイングアークの調整を行うことが可能なスイング練習器を提供することができた。
請求項８に記載の発明によれば、スイングアークの軌跡を自ら体感可能になるとともに、スイングアークの調整を行うことが可能なスイング練習器用警告装置を提供することができた。
【発明を実施するための最良の形態】
【００２５】
以下、図面に示した本発明の実施形態に基づき、本発明をさらに詳細に説明する。ここで使用する図面は、図１から図５である。図１は、本発明のスイング練習器を示す斜視図であり、図２は、スイング練習器の部分拡大図であり、図３は、スイング練習器の装着状態を正面から見た概略図であり、図４は、スイング練習器の装着状態を側面から示した概略図であり、図５は、スイング練習器の他の形態を示した斜視図であり、図６は、制御機能部の処理手順を示したフローチャートであり、図７は、スイング練習器の他の形態を示した斜視図である。
【００２６】
（第一実施形態））
これらの図において、スイング練習器１０は、ゴルフスイングを行うプレイヤー（以下、スイング練習者と表記する）１００がゴルフクラブ９０をスイングする際に、自らのスイングアークの軌跡を体感することが可能な構成となっている。このスイング練習器１０は、スイング練習者１００の首周りに周回固定可能な首側固定部材２０と、その首側固定部材２０における紐状部分に対して取り付けられ、スイング練習者１００の首の幅方向の略中心部の位置決めが可能な構造を備えたスイングセンター位置決め部材３０と、ゴルフクラブ９０のグリップ９１に対し固定可能に形成したゴルフクラブ側固定部材４０と、そのゴルフクラブ側固定部材４０とスイングセンター位置決め部材３０とを連結する可変紐部材５０と、スイングセンター位置決め部材３０に設けられ、スイング練習者１００のスイングセット時に可変紐部材５０の張力を一定にする張力一定機能部材６０と、可変紐部材５０の特定長さを設定した場合において、その長さが変化したことを検知可能とする検知機能部材とを備えて構成されている。なお、本実施形態における検知機能部材は、可変紐部材５０の色の変化を識別することで検知可能としている。
【００２７】
首側固定部材２０は、細長い紐状に形成されており、着脱部材２１によって連結されている。首側固定部材２０の材質としては、任意で良いが、本実施形態では、スイング練習者１００の首周りを周回固定する際に圧迫感および負担が掛からないように弾性部材を用いている。着脱部材２１は、フック（図示は省略する）を操作することで、首周りへの取り付けおよび取り外しが可能となる。
【００２８】
スイングセンター位置決め部材３０は、略円盤状に形成されており、スイング練習者１００の首の幅方向の略中心部の位置決めが可能な構造となっている。ここで、スイングセンターとは、円運動であるスイングの中心となる点およびその点を含んだ軸のことである。また、ゴルフスイングは、振り子運動であり、その中心点は喉仏付近となる。つまり、スイングセンター位置決め部材３０は、このスイングセンターを決めるための部材であり、スイング練習者１００の喉仏付近にスイングセンター位置決め部材３０を配置するようにする。また、スイングセンター位置決め部材３０にクリップなどを設けて着衣に固定するようにしても良い。このようにした場合、スイングセンターの中心がずれにくくなる。
【００２９】
また、スイングセンター位置決め部材３０には、スイング練習者１００のスイングセット時に可変紐部材５０の張力を一定にする張力一定機能部材６０が設けられている。本実施形態では張力一定機能部材６０をスイングセンター位置決め部材３０に内蔵される形態としており、内部にバネ部材（図示は省略する）が設けられている。図２に示すように、ゴルフクラブ側固定部材４０は、スイングセンター位置決め部材３０とは反対側に力が加わるとバネ部材が伸びる。また、その力が弱まるとバネ部材が縮み張力一定機能部材６０内に巻き取られるように形成されている。
【００３０】
ゴルフクラブ側固定部材４０は、略棒状に形成され、可変紐部材５０が固定された連結部材４５の開口部４６に移動自在に取り付けられている。ゴルフクラブ側固定部材４０の先端部４１は、グリップ端面９１ａの貫き穴９３に固定可能な大きさに形成されている。すなわち、図３および図４に示すように、先端部４１を貫き穴９３に固定することで、スイング練習者１００の首からゴルフクラブ９０にかけて繋がった状態となる。
なお、ゴルフクラブ側固定部材４０をゴルフクラブ９０に固定する形態は、上記に限定されることはなく、例えば、グリップ９１に接着手段などを用いて固定するようにしても良い。但し、本実施形態のように着脱自在に形成することにより利便性が向上する。
【００３１】
可変紐部材５０は、ゴルフクラブ側固定部材４０とスイングセンター位置決め部材３０との長さを可変とした形態で連結している。そして、可変紐部材５０の長さ方向を複数の色にて色分けすることによって引き出された長さを視認可能に形成している。本実施形態では、可変紐部材５０が検知機能部材として機能されており、図２におけるＡ部がブルー、Ｂ部がイエローおよびＣ部がレッドにそれぞれ色分けされている。ブルーは、スイングアークが十分であることを示し、レッドは、スイングアークが小さいことを示し、イエローは、それらの中間であることを示している。つまり、スイング練習者１００のスイングセット時には、可変紐部材５０が伸長するため、引き出された可変紐部材５０の長さを視認可能となる。そして、可変紐部材５０の張力が変化した場合に、色の変化を目安として自らのスイングアークの大きさを判断することが可能となる。
【００３２】
通常、スイング練習者１００は、最適なスイングアークのレッスンを受けたとしても、一人では自らのスイングアークが最適か否かを判断するのは、非常に困難となっていた。しかし、上記で説明したように、スイング時に可変紐部材５０を見ることで、スイングアークの軌跡を自ら体感できるようになる。そして、検知機能部材が可変紐部材５０の張力の変化を検知するので、それに基づいて、自らのスイングに問題があるか否かを認識することができる。ここで、問題があれば、スイングアークの修正や調整を自ら行うことが可能となる。
【００３３】
（第二実施形態）
図５に示すスイング練習器１０ｂは、スイング練習者１００の首周り周回固定可能な首側固定部材２０と、その首側固定部材２０における紐状部分に対して取り付けられ、スイング練習者１００の首の幅方向の略中心部の位置決めが可能な構造を備えたスイングセンター位置決め部材３０と、ゴルフクラブ９０のグリップ９１に対して固定可能に形成されたゴルフクラブ側固定部材４０と、そのゴルフクラブ側固定部材４０とスイングセンター位置決め部材３０とを連結する可変紐部材５０と、スイングセンター位置決め部材３０に設けられ、スイング練習者１００のスイングセット時に可変紐部材５０の張力を一定にする張力一定機能部材６０と、可変紐部材５０の特定長さを設定した場合において、その長さが変化したことを検知可能とする検知機能部材とを備えている点は、上述した第一実施形態のスイング練習器１０と全く同様である。
【００３４】
しかしながら、第二実施形態におけるスイング練習器１０ｂは、検知機能部材の構成が異なっている。すなわち、可変紐部材５０の張力の変化を検知すると、警告音を発信する警告発信部材８０が検知機能部材として機能している。また、可変紐部材５０は、色に替えて目盛りが振り当てられている。警告発信部材８０は、スイングセンター位置決め部材３０に内蔵されており、ブザー音などの任意の音声を発生させてスイング練習者１００に警告音を発信するものである。つまり、スイング練習者１００は、音によって自らのスイング状況を判断することが可能となる。
【００３５】
また、警告発信部材８０の制御を行う制御機能部（図示は省略する）を備えている。この制御機能部は、警告発信部材８０に係る各種設定を行うものである。図６を参照して、制御機能部の詳細を説明する。
【００３６】
制御機能部は、スイング練習者１００のスイングアークが最適となる初期設定値データを入力する初期設定値データ入力手段と、その初期設定値データを基準とした許容範囲を許容範囲データとして設定する許容範囲データ設定手段と、スイング練習者のスイング中のスイングアークデータを測定するスイングアーク実測データ測定手段と、初期設定値データ、許容範囲データおよびスイングアーク実測データをスイングアークデータ記録部に記録するスイングアークデータ記録手段と、記許容範囲データとスイングアーク実測データとの差分を演算する差分演算手段と、その差分が許容範囲データを越えた場合に警告発信部材８０に警告信号を送信する警告信号送信手段と、を備えている。なお、本実施形態の警告発信部材８０は、音（警告音）によって警告信号を発信する方式を採用している。
【００３７】
より具体的に説明すると、初期設定値データ入力手段がスイング練習者１００にとってスイングアークが最適な位置となる初期設定値データを入力する。この入力とは、グリップ９１に初期設定ボタン（図示は表示しない）を設け、最適となるスイングアークの位置で初期設定ボタンを押すことである。ここでは説明の便宜上、最適となるスイングアークの初期設定値データを「５０」として説明していく。
許容範囲データ設定手段が初期設定値データを基準とし、許容範囲を許容範囲データとして設定する。これは、初期設定値データ「５０」を基準とした場合、「５０」よりプラス２ｃｍおよびマイナス２ｃｍなどのプラスマイナスデータは許容範囲とし、スイング時に動いても検知機能部材に警告信号を発信しないという設定である。なお、プラスマイナスの設定は、等しいデータとしなくても良く、スイング練習者１００の癖（例えば、プラスよりに多く動いてしまう場合などはプラスを多く設定する）に応じて適宜設定を変えることもできる。
【００３８】
スイングアーク実測データ測定手段がスイング練習者１００のスイング中のスイングアークデータを測定する。これは、スイング練習者１００が実際にスイングを行った際の実測データである。これを「５４」とする。
スイングアークデータ記録手段が初期設定値データ、許容範囲データおよびスイングアーク実測データをスイングアークデータ記録部に記録する。これは、初期設定値データの「５０」、許容範囲データのプラス２ｃｍおよびマイナス２ｃｍ、スイングアーク実測データ「５４」をそれぞれ記録する。なお、記録手段とは、内部メモリなどの記憶媒体のことである。
差分演算手段が許容範囲データとスイングアーク実測データとの差分を演算する。今回、スイングアーク実測データは「５４」であり、それに対して許容範囲データは、プラス２ｃｍと設定されている。つまり、設定した許容範囲データを越えてしまったことになる。
【００３９】
差分演算手段が算出した差分データが許容範囲データを越えた場合に、警告信号送信手段が、警告発信部材８０に警告信号を送信する。警告発信部材８０は、警告信号を受けて警告音を発信する。一方で、スイングアーク実測データが「４８」〜「５２」の範囲であれば、許容範囲内となり、合格信号送信手段が警告発信部材８０に合格信号を送信する。警告発信部材８０は、合格信号を受信すると、合格音を発信する。
上記のように、予め設定した許容範囲データを越えた場合には、警告発信部材８０から警告音を発信するように制御されているため、スイング練習者１００は、設定した初期設定値データに対し、自らのスイングが適切か否かを音によって容易に判断することができることになる。これにより、スイングアークの調整を自ら行うことができる。
【００４０】
なお、警告発信部材８０は、音によって警告音を発信しているが、これに限定されることはない。例えば、警告発信部材８０に振動手段を採用しても良い。この振動手段とした場合には、グリップ９１にバイブレーション機能などを用いる。そして、可変紐部材５０の長さが変化したことを検知すると、グリップ９１が振動して、スイング練習者１００に警告することになる。一方で可変紐部材５０の長さが変化しなければ、振動手段が振動しないように設定しておくことで、判断が容易となる。
【００４１】
（第三実施形態）
図７を参照して、本発明の第三実施形態のスイング練習器１０ｃを説明する。スイング練習器１０ｃは、上述した第一実施形態および第二実施形態のスイング練習器と基本的な構成は同様となっているが、本実施形態では張力一定機能部材６０をゴルフクラブ側固定部材４０に備えている点、また、スイングセンター位置決め部材３０に着衣装着部材３１を備えた点が異なる。
【００４２】
張力一定機能部材６０は、ゴルフクラブ側固定部材４０の連結部材４５を介して固定されており、可変紐部材５０の張力を一定に保つ機能を有する。なお、第一実施形態のように可変紐部材５０を複数の色によって区分した場合は、図２におけるＡ部（ブルー）とＣ部（レッド）をそれぞれ反対にして色分けすることになる。なぜならば、ゴルフクラブ側固定部材４０から可変紐部材５０が伸びていくため、スイングセット時の伸張状態では、図２とは反対に形成した方が認識しやすいからである。また、張力一定機能部材６０を備えることで、可変紐部材５０を小さく収納できるため、スイング練習機１０ｃの保管時や持ち運び時に便利な形態となる。
【００４３】
着衣装着部材３１は、スイング練習者１００の着衣に対して装着可能に形成されている。着衣装着部材を着衣に対して装着することで、スイングセンター位置決め部材３０を確実に固定することができる。したがって、スイングの中心点となるスイングセンターの位置決めを容易に行うことができる。この位置決めによって、常にスイングセンターを意識したスイングを行うことができるため、スイング矯正にも効果的となる。
【００４４】
（スイング練習器用警告装置）
本発明の第二実施形態で述べた警告発信部材８０の制御を行う制御機能部は、スイング練習器用警告装置（図示は表示しない）として提供することが可能である。すなわち、スイング練習器用警告装置は、スイング練習者１００のスイングアークが最適となる初期設定値データを入力する初期設定値データ入力手段と、その初期設定値データを基準とした許容範囲を許容範囲データとして設定する許容範囲データ設定手段と、スイング練習者のスイング中のスイングアークデータを測定するスイングアーク実測データ測定手段と、最適値データ、許容範囲データおよびスイングアーク実測データをスイングアークデータ記録部に記録するスイングアークデータ記録手段と、許容範囲データとスイングアーク実測データとの差分を演算する差分演算手段と、その差分が許容範囲データを越えた場合に警告発信部材８０に警告信号を送信する警告信号送信手段と、を備えている。
【００４５】
また、スイング練習器用警告装置の制御を行っているプログラム単体として提供することも可能である。このプログラムは、インターネットなどの通信回線を利用してのダウンロードおよびプログラムをＣＤ−ＲＯＭなどの記録媒体に記録したものも含む。
【００４６】
なお、本発明のスイング練習器は、上述した実施形態に限定されるものではない。例えば、検知機能部材としての可変紐部材５０は、複数の色にて色分けすることに替えて、目盛り部を設けるようにしても良い。この場合、可変紐部材５０が引き出された長さを目盛り部によって視認可能とする。また、スイング練習器１０、スイング練習器１０ｂおよびスイング練習器１０ｃのそれぞれにおける各種の変更点を組み合わせた形態としても良い。
【図面の簡単な説明】
【００４７】
【図１】本発明のスイング練習器を示す斜視図である。
【図２】スイング練習器の部分拡大図である。
【図３】スイング練習器の装着状態を正面から見た概略図である。
【図４】スイング練習器の装着状態を側面から示した概略図である。
【図５】第二実施形態のスイング練習器を示した斜視図である。
【図６】制御機能部の処理手順を示したフローチャートである。
【図７】第三実施形態のスイング練習器を示した斜視図である。
【符号の説明】
【００４８】
１０、１０ｂ、１０ｃ  スイング練習器
２０  首側固定部材
２１  着脱部材
３０  スイングセンター位置決め部材
３１  着衣装着部材
４０  ゴルフクラブ側固定部材
４１  先端部
４５  連結部材
４６  開口部
５０  可変紐部材
６０  張力一定機能部
８０  警告発信部材
９０  ゴルフクラブ
９１  グリップ
９１ａ  グリップ端面
９３  貫き穴
１００  スイング練習者
【図１】
2006025882.tif 000003
【図２】
2006025882.tif 000004
【図３】
2006025882.tif 000005
【図４】
2006025882.tif 000006
【図５】
2006025882.tif 000007
【図６】
2006025882.tif 000008
【図７】
2006025882.tif 000009